(57)【特許請求の範囲】
【請求項１】
前壁（３）に防火扉（４）を備え、該前壁（３）と相対向する後壁（６）に主バーナー（７）を設けている主燃焼室（１）に、該室に発生する煤煙を燃焼する再燃焼室（２）を、該再燃焼室（２）を形成する底壁（１１）が前記主燃焼室（１）の後壁（６）より室外に向かって突出する状態で設け、該底壁（１１）の主燃焼室の後壁（６）より突出する部位に再燃焼室（２）内に向かって噴射する副バーナー（１２）を設け、前記再燃焼室（２）の底壁（１１）より下方部空間に主バーナー（７）と副バーナー（１２）とを内包する封音室（１３）を設け、該封音室（１３）に後扉（１７）で開閉される出入口（１８）を設けていることを特徴とする火葬炉。
【発明の詳細な説明】
【０００１】
【発明の属する技術分野】
本発明は、主バーナーを備える主燃焼室と副バーナーを有する再燃焼室とで構成される火葬炉に関する。
【０００２】
【従来の技術】
火葬炉は、その炉体を平面より見て長方形に形成して、奥行きが長くなるように配設され、床上に設置された主燃焼室の上に、主燃焼室に発生した煤煙を更に燃焼する再燃焼室を主燃焼室の長手方向に沿って設けてあり、また主燃焼室の前壁には防火扉で開閉される挿入口を有し、反対の後壁に主バーナーを備え、再燃焼室の後壁に、即ち前記主バーナーより上方部に副バーナーを設け、再燃焼室の前側に排煙部を備えるものである。
【０００３】
【発明が解決しようとする課題】
上記従来の火葬炉の構成において、副バーナーの設置高さが床上より約２．５ｍ前後の位置にあり、メンテナンスや修理あるいは調整する際には梯子などの作業足場を設置する必要があり、殊に、火葬時間の短縮要望に答え、各バーナーの燃焼容量を増加し、バーナーフレームの高負荷燃焼化が夥しいことから、メンテナンスや修理の回数が増加するという問題が発生している。
【０００４】
更に、以上のようにバーナーの高負荷燃焼操作に伴って燃焼騒音値が増大し、しかも一か所の葬祭場には複数の火葬炉が並設されているものであるから、火葬炉裏の作業場の騒音が激しく、作業環境を悪化し作業者への障害をもたらすという問題が生じている。
【０００５】
本発明は以上の問題から、特に副バーナーの調整あるいはメンテナンスや修理が安全に容易に行うことができることを主目的とし、その上、騒音からの障害を排除することを目的とした火葬炉を開発することにある。
【０００６】
【課題を解決するための手段】
前記主目的を解決する手段として、主燃焼室は従来と同様に前壁に防火扉を備え、後壁に主バーナーを設けて設置するが、再燃焼室を、該室を形成する底壁が主燃焼室の後壁より室外側に突出して設け、該突出した後壁に副バーナーを再燃焼室内に噴射するように設け、前記再燃焼室の底壁より下方部空間に主バーナーと副バーナーとを内包する封音室を設け、該封音室に後扉で開閉される出入口を設けている。
【０００７】
【０００８】
【作用】
以上のように、主燃焼室の後壁に突設した再燃焼室の底壁に副バーナーを設けたものであるから、副バーナーを主バーナーに干渉されない位置にまで降ろして設置することができ、即ち設置位置を従来のものに比して大幅に低くすることができることから、調整あるいはメンテナンスや修理を安全且つ容易に行うことができるようになる。
【０００９】
また、以上のように主燃焼室の後壁に再燃焼室の底壁を突設したものであるから、その底壁の下方に扉付き封音室を、作業場に支障を来すことなく容易に設けることができ、出入口を有することから前述のように調整あるいはメンテナンスや修理を行うことができ、しかも、一般に主副両バーナーは遠隔操作ができるようになっているので、このような場合には、高負荷燃焼を行っても作業環境を更に良好に保つことができる。
【００１０】
【発明の実施の形態】
本発明の実施形態を具体的に説明すると、図１と図２に示しているように、火葬炉は主燃焼室１と再燃焼室２とで形成されるもので、主燃焼室１はその前壁３に防火扉４で開閉される挿入口５を備え、該挿入口５よりこの図面の場合は台車１９を出し入れするものである。また主燃焼室１の後壁６には主バーナー７と、空気吸入口８及び覗き孔９が設けてある。
【００１１】
再燃焼室２は、前記主燃焼室１の後壁６寄りに設けた煙道１０に連通して設けられるもので、再燃焼室２を形成する底壁１１を、主燃焼室１の後壁６における上部より室外に向かって突設し、その底壁１１上に起立して包囲する壁によって形成するものである。即ち従来横に伏せて設けていたものを起立して設けるものである。
【００１２】
以上のように設けた再燃焼室２の底壁１１に、再燃焼室２内に向かって火炎を噴射する副バーナー１２を設置するものである。このように設けられた副バーナー１２の高さは、床からほぼ１．５ｍ〜１．８ｍ程度になる。しかも再燃焼室２を起立して設けるものであるから、その築炉が容易で堅牢となり、また再燃焼の効率は従来の横置きのものと変わりなく、かえって吸引力が高まることから、従来設けられていた吸引用ブロアーの吸引能力を下げて運転することができる利点がある。
【００１３】
尚、前記煙道１０は図４に示しているように、主燃焼室１における挿入口５寄りから再燃焼室２へ通じるように設けたものであっても良い。
【００１４】
以上の構成によって、本発明の目的である各バーナー７，１２のメンテナンスや修理が容易に行うことができるものである。更に他の目的である防音を図るための構造は、図１と図４に示しているように、再燃焼室２の主燃焼室１より突出する底壁１１の下方部空間を床面に至るまで仕切って封音室１３となるように、両側面と後壁面とを防音効果のある仕切り壁１４，１５で包囲して設け、後面の仕切り壁１５にガラス窓１６を有する後扉１７で開閉される出入口１８を設けたものである。
【００１５】
各バーナー７，１２を包囲する封音室１３を設けることにより、燃焼騒音が火葬炉設置前のホールは勿論のこと、裏の作業場への漏れが大幅に減少され、特に作業環境が良好になる。またガラス窓１６付き後扉１７が設けてあるから、各バーナー７，１２の燃焼状況を点検する際に、一々後扉１７を開ける必要がなく、ただ覗き孔９を覗く際には封音室１３内に入る必要があるが、光学的看視装置を付加することにより封音室１３外で看視することができるようになる。また封音室１３内に出入りできることから、各バーナー７，１２の調整あるいはメンテナンスや修理も容易に行うことができるものである。
【００１６】
【発明の効果】
本発明による火葬炉によれば、主燃焼室の後壁に再燃焼室を形成する底壁を突設し、その底壁に副バーナーを設けたものであるから、副バーナーの設置位置が床に立って容易に手の届く高さに存在することができ、調整あるいはメンテナンスや修理の作業を安全に遂行されるようになる。
【００１７】
また上記のように主燃焼室の後壁に再燃焼室を形成する底壁を突設して、その底壁に副バーナーを設けた構成に対して、底壁の下方部空間を主燃焼室の主バーナーと副バーナーとを包み込んだ封音室とするものであるから、特に火葬炉の後側で作業する空間の作業環境を良好に保つことができるようになる。更に封音室内へ出入りすることができるので、各バーナーの調整あるいはメンテナンスや修理が可能となる。
【図面の簡単な説明】
【図１】  本発明の火葬炉を示す断面図である。
【図２】  同じく火葬炉の背面図である。
【図３】  同じく火葬炉に設けた封音室の後面を示す正面図である。
【図４】  本発明の火葬炉の類例を示す断面図である。
【符号の説明】
１  主燃焼室
２  再燃焼室
３  前壁
４  防火扉
６  後壁
７  主バーナー
１１  底壁
１２  副バーナー
１３  封音室
１７  後扉
１８  出入口
【図１】
0003691885.tif 000002
【図２】
0003691885.tif 000003
【図３】
0003691885.tif 000004
【図４】
0003691885.tif 000005